(57)【要約】      （修正有）【課題】利用者の衣服の前側の位置にぶら下げる場合、傾斜したり側方へ偏ったりすることのない証明書類カバーを提供する。【解決手段】証明書類を挟むための係合クリップ１を含む証明書類カバーであって、前記係合クリップの側板には、その側板側の中央部位置に半円形の収容溝１１が設けられ、前記収容溝の一端には、前記収容溝と対応し円弧状をなす伸縮可能な係止部材２が設けられ、前記係止部材の一端は係止されて前記収容溝内に位置し、他端は伸縮可能に前記係合クリップの外側に位置し、前記係止部材の横断面の大きさは、利用者の衣服のボタン穴の大きさと対応され、収容溝１１の近傍の他端の係合クリップ１の側板には、前記係止部材の横断面の大きさと対応する係合穴１２が開口されている。利用者の衣服の前側の位置にぶら下げる場合、傾斜したり側方へ偏ったりすることなく、利用者の個人情報の漏れを防止することができる。【選択図】図１
0003159839.tif 000002
【実用新案登録請求の範囲】
【請求項１】
証明書類を挟むための係合クリップを含む証明書類カバーであって、前記係合クリップの側板には、半円形の収容溝が設けられ、前記収容溝内には、前記収容溝と対応するように円弧状の係止部材が伸縮可能に係止部材設けられ、前記係止部材の一端は回動可能に係止されて前記収容溝内に位置し、他端は伸縮可能に前記係合クリップの外側に位置し、収容溝の他端の係合クリップの側板には、前記係止部材と対応する係合穴が開口されていることを特徴とする証明書類カバー。
【請求項２】
前記証明書類カバーの係合クリップは、金属材料により作られ、前記係合クリップの隅端には、円弧状の切り口が設けられていることを特徴とする請求項１に記載の証明書類カバー。
【請求項３】
前記係止部材は、湾曲係合筋と、湾曲係合筋の一端に位置する係止部とを備え、前記湾曲係合筋は、その係止部によって係止され前記収容溝内に位置することを特徴とする請求項１又は２に記載の証明書類カバー。
【請求項４】
前記湾曲係合筋の他端末には、ホック部が設けられていることを特徴とする請求項３に記載の証明書類カバー。
【請求項５】
前記係合クリップは、正面と裏面とを含み、係合筋は、当該正面からボタン穴または衣服を通して、さらに係合クリップの裏面でホック部を前記係合穴にラッチさせることにより証明書類カバーを固定させるように設けられ、かつ、係合筋は、係合穴及び衣服から離脱し収容溝に収容されることにより、衣服から証明書類カバーを解除するように設けられていることを特徴とする請求項４に記載の証明書類カバー。
【考案の詳細な説明】
【技術分野】
【０００１】
本考案は、従業員カードやバスカード等のインテリジェントカード又は名刺を収納するための証明書類カバーに関する。
【背景技術】
【０００２】
現在、企業や学校等の企業・機関では、従業員を区別するために、いずれも従業員に従業員カードをぶら下げることが一般であり、従業員が携帯しやすく、ぶら下げる従業員カードを保護するために、通常、従業員に従業員カードを配給すると共に、従業員に従業員カードと対応する証明書類カバーも配送している。そして、従業員カードを証明書類カバーの内に入れると、便利に携帯できると共に、従業員カードのポケット等との摩擦による破損も防止でき、非常に便利に使用されている。
【０００３】
従来の証明書類カバーは、一般に、従業員カードを収納するための係合クリップを含んでおり、その係合クリップの一側の中央部位置には、接続穴が設けられ、通常、その接続穴には係止部材が取り外し可能に接続されている。従業員は、この係止部材を利用して便利に従業員カードを衣服の前側に係止させて胸先にぶら下げることができる。しかしながら、このような構造を有する証明書類カバーは、その構造が簡単であるが、従業員が係止部材で衣服の前側に付けた場合に、その係止部材構造の原因で、証明書類カバーが傾斜したり側方へ偏ったりして、外観が見にくくなり、そして、係合クリップがプラスチック等の透明材料により製造されることが多いため、軍隊や治安部門等の秘密性の要求が厳しい場所にとっては、従業員自身の情報が漏れやすくなり、従業員がその証明書類カバーにクレジットカードやバスカード等を収納した場合、その内に記憶された情報が他人に容易に奪られたり盗まれたりするため、その証明書類カバーの構造をさらに改善する必要がある。
【考案の概要】
【考案が解決しようとする課題】
【０００４】
本考案の解決しようとする技術課題は、利用者の衣服の前側の位置にぶら下げる場合、傾斜したり側方へ偏ったりすることのない証明書類カバーを提供することにある。
【課題を解決するための手段】
【０００５】
本考案は、上記した技術課題を解決するために、証明書類を挟むための係合クリップを含む証明書類カバーであって、前記係合クリップの側板には、その側板側の中央部位置に半円形の収容溝が設けられ、前記収容溝の一端には、前記収容溝と対応するように円弧状の伸縮可能な係止部材が設けられ、前記係止部材の一端は係止されて前記収容溝内に位置し、他端は伸縮可能に前記係合クリップの外側に位置し、前記係止部材の横断面の大きさは、利用者の衣服のボタン穴の大きさと対応され、収容溝の近傍の他端の係合クリップの側板には、前記係止部材の横断面の大きさと対応する係合穴が開口されている、証明書類カバーを提供している。
【０００６】
まは、本考案によれば、前記証明書類カバーの係合クリップは、前記金属材料により製造され、前記係合クリップの隅端には、円弧状の切り口が設けられてもよい。
【０００７】
さらに、本考案によれば、前記係止部材は、湾曲係合筋と、湾曲係合筋の一端に位置する係止部とを備え、前記湾曲係合筋は、その係止部によって係止され前記収容溝内に位置してもよい。
【考案の効果】
【０００８】
本考案は、従来の技術に比べて以下のような有益効果を奏している。（１）本考案の証明書類カバーの係止部材は半円円弧状をなしているため、使用する時に、その端部を利用者の衣服のボタン穴を通させ、係止して係合穴の内に位置させ、あるいは、この係止部材で利用者の衣服を挟むことにより、証明書類カバーを利用者の衣服の前側の位置にぶら下げる場合、傾斜したり側方へ偏ったりすることなく、全体として美感的であり、外人の観測効果を影響することがない。（２）本考案の係合クリップは金属材料により製造することができるため、利用者の個人情報の漏れを防止するだけでなく、例えばバスカード等の非接触型のインテリジェントカードを有効に保護でき、カードに記憶されている情報が傍受されたり盗まれたりすることを防止する。（３）本考案は、金属材料により製造されるため、その使用寿命を長くするとの利点もある。
【図面の簡単な説明】
【０００９】
【図１】本考案の前面構造を示す図である。
【図２】本考案の後面構造を示す図である。
【図３】本考案の係止部材の前面構造を示す図である。
【考案を実施するための形態】
【００１０】
図１及び図２に示すように、本考案の証明書類カバーは、正面１３と裏面１５を有する係合クリップ１を含み、この係合クリップ１の正面１３は、証明書類又はその他の磁気カードを挟んで載置するものである。
【００１１】
前記係合クリップ１の側板には、その係合クリップ１の側板側の中央部位置に配置された半円形の収容溝１１が設けられ、前記収容溝１１の一端には、伸縮可能な係止部材２が設けられている。
【００１２】
図３に示すように、前記係止部材２は、湾曲係合筋２１と、湾曲係合筋２１の一端に位置する係止部２２とを備えている。そのうち、湾曲係合筋２１は、円弧状をなし、収容溝１１と対応し、係合筋２１の自由端２５の端末は折り曲げてホック部を形成しており、前記係止部材２の一端は、その係止部２２によって軸心２３周りを回動可能に前記収容溝１１内に係止されて位置し、他端は、伸縮可能に前記係合クリップ１の外側に位置し、前記係止部材２の横断面の大きさは、利用者の衣服のボタン穴の大きさと対応することができ、収容溝１１の近傍の他端部の係合クリップ１の側板には係合穴１２が開口され、この係合穴１２は、係止部材２の横断面の大きさと対応されている。
【００１３】
証明書類カバーを胸先に掛かる必要がある場合に、まず、係合クリップ１の外側に位置している係止部材２の自由端２５を利用者の衣服のボタン穴を通させまたは襟などの適合な位置に挟ませ、その後に、係合クリップ１の正面１３から側縁を超えてその裏面１５からホック部２６を係合穴１２内に係止して位置させる。そして、証明書類カバーは、傾斜したり側方へ偏ったりすることなく、胸先に掛けられ、全体として美感的である。使用完了後に、係止部材２を係合穴１２から離せると、証明書類カバーを取り外すことができ、係止部材２は、収容溝１１内に返して収縮させることができ、そのホック部２６のみを係合クリップ１の外側に当接させることにより、保存しやく、非常に使用しやすい。言うまでもなく、利用者は、この係止部材２で利用者の衣服、例えば襟口等を挟むことによって、その証明書類カバーを利用者の胸先に掛かることができる。
【００１４】
利用者の個人情報の漏れを防止し、証明書類カバーの使用寿命を向上させるために、本考案の前記証明書類カバーの係合クリップ１は、金属材料で作り、前記係合クリップ１の隅端に円弧状の切り口３を設けることが好ましい。この証明書類カバーが金属材料であるため、証明書類カバー内にある非接触型のインテリジェントカード等の各種類のカードに記憶されている情報が他人に盗み取られにくくなり、利用者は、使用する際に、その切り口を利用するだけでカードを使うことができ、言うまでもなく、証明書類カバー内にあるカードを取り出して使用することもできる。
【図１】
0003159839.tif 000003
【図２】
0003159839.tif 000004
【図３】
0003159839.tif 000005